(57)【要約】【課題】キッチンペーパーロールを取出しやすい開口を容易に形成でき、しかも、複数個の内の一部を包装体内から取り出した後にも残るキッチンペーパーロールを衛生的に保管することができるキッチンペーパーロール包装体を提供する。【解決手段】  ガゼット包装袋内に四本のキッチンペーパーロール群が内包され、そのガゼット包装袋が、側部が折り込まれた状態において、その幅方向の一方側縁から他方側縁に向かって斜め下方向に延在する開封用ミシン目線を有するものであり、その開封用ミシン目線の一方側縁側の基端が、キッチンペーパーロール群を包装した状態においてそのキッチペーパーロール群の上側端面に位置する部位と前記把手部下縁との間にあるとともに、前記上面端面に位置する部位と前記基端との間の長さが内包されるキッチンペーパーロールの半径以上の長さとされているキッチンペーパーロール包装体により解決される。【選択図】図１
2015054700.tif 000002
【特許請求の範囲】
【請求項１】
筒状の包装用フィルムの側部を袋内側に折り込みして偏平にした状態で上部が融着され、その融着部を境にして、袋本体部と、中央部に指掛け孔用切り込み部が形成された把手部と、が形成されているガゼット包装袋内に、
各々隣接する二つキッチンペーパーロールが胴面で接しかつ端面が面一となるようにして並べられた四つのキッチンペーパーロール群が、その一方各端面が前記把手部側となるようにして内包されている、キッチンペーパーロール包装体であって、
前記ガゼット包装袋が、側部が折り込まれた状態においてその幅方向の一方側縁から他方側縁に向かって斜め下方向に延在する開封用ミシン目線を有するものであり、その開封用ミシン目線の一方側縁側の基端が、キッチンペーパーロール群を包装した状態においてそのキッチペーパーロール群の上側端面に位置する部位と前記把手部下縁との間にあるとともに、前記上側端面に位置する部位と前記基端との間の長さが内包されるキッチンペーパーロールの半径以上の長さとされている、ことを特徴とするキッチンペーパーロール包装体。
【請求項２】
前記開封用ミシン目線が、上下方向に対して４５°超９０°未満の角度で下方に延在している請求項１記載のキッチンペーパーロール包装体。
【請求項３】
前記開封用ミシン目線の終端が、他方側縁のガゼット折り込み部分まで延在しているとともに、その他方縁側と終端との間の長さが、キッチンペーパーロールの半径以上の長さ以上ある請求項１又は２記載のキッチンペーパーロール包装体。
【発明の詳細な説明】
【技術分野】
【０００１】
本発明は、複数個のキッチンペーパーロールを包装フィルムによりガゼット包装したキッチンペーパーロール包装体に関する。
【背景技術】
【０００２】
帯状のキッチンペーパーをロール状に巻いたキッチンペーパーロールは、概ね４〜６個程度、複数個をまとめてガゼット包装袋に内包した状態で市販されている。なかでも４個のキッチンペーパーロールを各胴面を付き合わせるようにしてまとめてガゼット包装したものが多くみられる。
【０００３】
このようなキッチンペーパーロール包装体では、キッチンペーパーロールを使用する際、使用者はそのガゼット包装袋を破って、内包された個々のキッチンペーパーロールを取り出して使用する。
【０００４】
ところで、キッチンペーパーロールは、ある程度の長さのキッチンペーパーを巻いて筒状にしたものであるため、一本を使いきるまでにある程度の期間を要する。そのため、複数個をまとめて市販されるキッチンペーパーロール包装体では、いくつかのキッチンペーパーロールを長期に渡ってガゼット包装袋を破って開封した後にも保管をしておかなければならない。
【０００５】
他方で、キッチンペーパーロールは、家庭のキッチンなど食材を取り扱う場面で使用されることが多いため衛生的であることが求められる。
【０００６】
しかしながら、従来のキッチンペーパーロール包装体は、使用者が力まかせにガゼット包装袋を引裂いて開封するようになっているなど、過度に大きな開封口が形成され、使用されていない残りのキッチンペーパーロールをその開口後のガゼット包装袋内に保管しておく際に、開封口から塵や埃、虫等が侵入するおそれがあり、保管期間中の衛生面において不安があるものであった。
【０００７】
また、従来のキッチンペーパーロール包装体の中には、開封用のミシン目線や切り込みカットなどが形成して開封性を高めたものもあるが、容易にキッチンペーパーロールを取り出せる開口が形成できるように開封でき、しかもその開口を形成した後にそれを容易に隙間無く閉じることができるものがなかった。
【先行技術文献】
【特許文献】
【０００８】
【特許文献１】特開２００３−１０４４４９号公報
【特許文献２】特許第３１５３５２８号
【特許文献３】特開２０１２−２２４３５３号公報
【特許文献４】特開２０１１−１８９９６５号公報
【発明の概要】
【発明が解決しようとする課題】
【０００９】
そこで、本発明の主たる課題は、内包されたキッチンペーパーロールを取出しやすい開口を容易に形成でき、しかも、複数個の内の一部を包装体内から取り出した後にも残るキッチンペーパーロールを衛生的に保管することができるキッチンペーパーロール包装体を提供することにある。
【課題を解決するための手段】
【００１０】
上記課題を解決した本発明は、下記のとおりである。
〔請求項１記載の発明〕
筒状の包装用フィルムの側部を袋内側に折り込みして偏平にした状態で上部が融着され、その融着部を境にして、袋本体部と、中央部に指掛け孔用切り込み部が形成された把手部と、が形成されているガゼット包装袋内に、
各々隣接する二つのキッチンペーパーロールが胴面で接しかつ端面が面一となるようにして並べられた四つのキッチンペーパーロール群が、その一方各端面が前記把手部側となるようにして内包されている、キッチンペーパーロール包装体であって、
前記ガゼット包装袋が、側部が折り込まれた状態においてその幅方向の一方側縁から他方側縁に向かって斜め下方向に延在する開封用ミシン目線を有するものであり、その開封用ミシン目線の一方側縁側の基端が、キッチンペーパーロール群を包装した状態においてそのキッチペーパーロール群の上側端面に位置する部位と前記把手部下縁との間にあるとともに、前記上側端面に位置する部位と前記基端との間の長さが内包されるキッチンペーパーロールの半径以上の長さとされている、ことを特徴とするキッチンペーパーロール包装体。
【００１１】
〔請求項２記載の発明〕
前記開封用ミシン目線が、上下方向に対して４５°超９０°未満の角度で下方に延在している請求項１記載のキッチンロールペーパー包装体。
【００１２】
〔請求項３記載の発明〕
前記開封用ミシン目線の終端が、他方側縁のガゼット折り込み部分まで延在しているとともに、その他方縁側と終端との間の長さが、キッチンペーパーロールの半径以上の長さ以上ある請求項１又は２記載のキッチンペーパーロール包装体。
【発明の効果】
【００１３】
以上の本発明によれば、内包されたキッチンペーパーロールを取出しやすい開口を容易に形成でき、しかも、複数個の内の一部を包装体内から取り出した後にも残るキッチンペーパーロールを衛生的に保管することができるキッチンペーパーロール包装体が提供される。
【図面の簡単な説明】
【００１４】
【図１】本発明の実施形態に係るガゼット包装袋の正面図である。
【図２】本発明の実施形態に係るガゼット包装袋の断面図である。
【図３】本発明の実施形態のキッチンペーパーロール包装体の斜視図である。
【図４】本発明の実施形態のキッチンペーパーロール包装体の正面図である。
【図５】本発明の実施形態のキッチンペーパーロール包装体の側面図である。
【図６】本発明の実施形態に係るキッチンペーパーロールの斜視図である。
【図７】本発明の他の実施形態に係るガゼット包装袋の正面図である。
【図８】本発明の実施形態に係るキッチンペーパーロール包装体の使用態様を説明する斜視図である。
【発明を実施するための形態】
【００１５】
次いで、本発明のキッチンペーパーロール包装体の実施形態を図１〜８を参照しながら詳述する。
【００１６】
本実施形態に係るキッチンペーパーロール包装体１は、図１及び図２に示す、筒状の包装フィルムの側部２A，２Bを袋内側に折り込みして偏平にした状態で上部が融着され、その融着部４１を境にして、袋本体部１０と、中央部に指掛け孔用切り込み部２１，２１が形成された把手部２０と、が形成されているガゼット包装袋２内に、図３に示すように、４本のキッチンペーパーロール３０が内包されているものである。
【００１７】
本実施形態に係るキッチンペーパーロール包装体１では、図３〜図５に示すように、上記構成のガゼット包装袋２内に、４本のキッチンペーパーロール３０が、各々隣接する二つキッチンペーパーロールが胴面で接しかつ端面が面一となるようにして並べられ、一方の各端面が前記把手部２０に向けて内包されており、その結果、本実施形態に係るキッチンペーパーロール包装体１では、キッチンペーパーロール群３０…を包装した状態において、ガゼット包装袋２は、その偏平状態において折り込まれた側部２Ａ，２Ｂが開かれて形成されるマチ部１１Ａ，１１Ｂに連接するように各面１２，１３，１５が形成されている。なお、以後、マチ部１１Ａ，１１Ｂに連接し、把手部２０から底面に至る二つの面の一方面を正面１２、他方面を背面１３ともいう。但し、各マチ部１１Ａ，１１Ｂと正面１２及び背面１３は相対的なものであり、いずれの面を正面とするかは限定されるものではない。
【００１８】
本実施形態のキッチンペーパーロール包装体１における被包装物であるキッチンペーパーロール３０は、図６に示すように、紙管３１に帯状のキッチンペーパー３２を巻きつけたものであり、その大きさは、限定されないが、高さ（幅）が２２５〜２３５ｍｍ、直径（巻径）３０Ｄが１００〜１３０ｍｍ、内径（芯直径）３０ｄが３５〜４５ｍｍ、巻長が１１．０〜２２．３ｍのものが一般的である。本実施形態の包装体は、この大きさのキッチンペーパーロール３０を包装したものである場合に、特にその効果を奏する。
【００１９】
キッチンペーパーロール３０を構成するキッチンペーパー３２は、１プライから３プライであり、本発明では特に限定されない。嵩（キッチンペーパー５枚重ね）が２．０〜５．０ｍｍ、１プライ当り米坪が１１．０〜５０．０ｇ／ｍ2の範囲のものが例示できる。また、エンボスが付与されたものであってもよい。なお、ここでの米坪は、ＪＩＳ Ｐ ８１２４（１９９８）の米坪測定方法によるものであり、嵩（キッチンペーパー５枚重ね）は、ＪＩＳ Ｐ ８１１１（１９９８）の条件下で十分に調湿した後、同条件下でダイヤルシックネスゲージ（厚み測定器）「ＰＥＡＣＯＣＫＧ３０型」（尾崎製作所製）を用いて５回測定した平均値をいう。
【００２０】
キッチンペーパー枚数は１プライのものであれば「１枚」、複数プライの場合、ラミネート糊等でキッチンペーパー同士を貼り合わせた状態を「１枚」とする。
【００２１】
ガゼット包装袋２を構成する包装フィルムとしては、厚みが２０〜４５μｍ、融点が１５０℃以下のポリエチレン樹脂製フィルムであるのがコスト面及び後述する開封用ミシン目線の開封性の点で望ましい。なお、融点が低いほうが低温で融着処理できるため好ましいが、過度に融点が低い場合には、摩擦などによって包装袋に傷が付いたり、穴が空くおそれが高まるので、実質的な下限値は８０℃である。ポリエチレン樹脂製フィルムとしては、直鎖低密度ポリエチレンフィルム（ＬＬＤＰＥ）、低密度ポリエチレンフィルム（ＬＤＰＥ）、中密度ポリエチレンフィルム（ＭＤＰＥ）が挙げられる。なかでも、本発明においては、熱融着性及びコストの点で、密度０．９１０〜０．９４０ｇ／ｃｍ3で融点が１１０〜１２０℃の直鎖低密度ポリエチレンフィルム層（ＬＬＤＰＥ）が、特に適する。
【００２２】
係るガゼット包装袋２内にキッチンペーパーロール群３０…が内包された態様の上記本実施形態に係るキッチンペーパーロール包装体１は、例えば、予め筒状に形成された包装フィルムを、その両側部分を筒内側に押し込んだ状態で一方開口部を熱融着処理等により封止するとともに把手部２０を形成して一方が閉じられた三方閉じのガゼット包装袋の前駆体を形成し、次に被包装物であるキッチンペーパーロール２０を並べた状態で、その前駆体に挿入し、その後に他方開口部を熱融着処理して封止することにより製造することができる。熱融着処理は、一般的な方法にしたがって、１８０〜２３０℃で行なうことができる。後述する本実施形態に係る開封用ミシン目線５０は、把手部２０の形成と同時又は把手部２０を形成した後、キッチンペーパーロール３０…を挿入する前に形成することができる。
【００２３】
一方、本実施形態に係るガゼット包装袋２に係る前記把手部２０は、袋本体部１０との境となる融着部４１の他に、上端近傍にも幅方向に直線上の熱融着部４２が形成されており、その上下の熱融着処理部４１，４２の間に一対の指掛け孔用切り込み部２１，２１が形成されている。このように上下において熱融着部４１，４２を形成し、その間に指掛け孔２１，２１を形成することにより、把手部２０において積層された包装フィルム同士が、ずれることなく把手部２０の取り扱い性が向上されている。
【００２４】
また、本実施形態に係るキッチンペーパーロール包装体１では、把手部２０の特に指掛け孔用切り込み部２１，２１近傍に把手部２０を補強するため補強用のフィルムシート２５が積層融着されている。このように把手部２０に補強用のフィルムシート２５を設けることにより、把手部２０の厚みが増加して指掛け孔用切り込み部２１，２１により形成される指掛け孔に指をいれて持つ際の指への負担が低減される。図示の形態では、上下の熱融着部４１，４２とともに指掛け孔用切り込み部２１，２１を囲む縦方向の熱融着部４３，４３が形成されており、本実施形態に係るキッチンペーパーロール包装体１は、係る熱融着部４１，４２，４３によって把手部２０に対して補強用のフィルムシート２５を一体的に積層融着している。但し、補強用のフィルムシート２５の融着態様はこの態様に限られるものではない。係る補強用のフィルムシート２５としては、融点が１１０〜１２０℃であり５０〜７０μｍであるポリエチレンフィルムが望ましい。このポリエチレンフィルムであると、熱融着による融着が容易に行えるとともに、後述の開封用ミシン目線を設けた場合においても、その開封性を良好にすることができる。
【００２５】
他方、本実施形態のキッチンペーパーロール包装体１では、図１から理解されるように、特徴的に、ガゼット包装袋２が、側部２Ａ，２Ｂが折り込まれた状態における幅方向の一方側縁２ａから他方側縁２ｂに向かって斜め下方向に延在する開封用ミシン目線５０を有している。この開封用ミシン目線５０は、正面１３となる面から折り込まれた一方側部２Ａ、そして背面１４となる面に至るまで貫通して設けられている。したがって、キッチンペーパーロール３０…を包装した状態においては、図３〜５に示されるように、一方のマチ部１１Ａにから正面１３及び背面１４に掛けて連続する一本の開封用ミシン目線５０が形成されたものとなっている。
【００２６】
なお、図示の形態では、開封用ミシン目線５０の他方側部２Ｂにかかる部分については、他方側部２Ｂを開封用ミシン目線５０が貫通しないようにして正面１３となる面と背面１４となる面のみに開封用ミシン目線が配されている形態を示しているが、本実施形態では、この他方側部２Ｂを貫通するように開封用ミシン目線５０が形成されていてもよい。この場合、他方のマチ部１１Ｂに、正面１３及び背面１４に連続しないミシン目線が形成されるが、本発明はこのようなミシン目線が配されていても問題ない。
【００２７】
他方、本実施形態に係る開封用ミシン目線５０は、ガゼット包装袋２が側部２Ａ，２Ｂが折り込まれた状態で、開封用ミシン目線５０の一方側縁２ａ側の基端５０Ｓが、キッチンペーパーロール群３０…を包装した状態においてそのキッチペーパーロール群３０…の上側端面に位置する部位と前記把手部２０の下縁２０Ｂとの間にある。すなわち、開封用ミシン目線５０のうち一方のマチ部１１Ａに形成される部分が、キッチペーパーロール群３０の上側端面に位置する部位Ｘと前記把手部下縁２０Ｂとの間にあり、そのマチ部１１Ａに形成された部分５０ａの両端から正面１３及び背面１４に形成された部分５０ｂ，５０ｃが連続的に形成され、その正面１３及び背面１４に形成された部分５０ｂ，５０ｃが、当該マチ部１１Ａから反対側の他方のマチ部１１Ｂに向かって下り傾斜するように直線的に配されたものとなっている。
【００２８】
本実施形態に係るキッチンペーパーロール包装体１では、このような開封用ミシン目線５０の配設態様によって、把手部２０の、正面１３及び背面１４に連続する開封用ミシン目線５０ｂが配されているマチ部１１Ａに近い部分を上方に引っ張ることにより、開封用ミシン目線５０の特に、マチ部１１Ａと正面１３及び背面１４との間の位置Ｐを開始端として容易に、内包されたキッチンペーパーロールを取り出すための開口を形成することができる。
【００２９】
また、本実施形態に係る開封用ミシン目線５０は、側部２Ａ，２Ｂが折り込まれた状態としたときにおける幅方向の一方側縁２ａの基端５０Ｓと、キッチンペーパーロール群３０…を包装した状態におけるそのキッチペーパーロール群３０…の上側端面に位置する部位Ｘとの間の長さＬ１が内包されるキッチンペーパーロール３０の半径３０Ｒを超える以上の長さとされている。このように開封用ミシン目線５０を形成すると、開封用ミシン目線５０を裂開して開口を形成し、内包されたキッチンペーパーロール３０の一部、例えば一本を取りだした後に、図８に示すが如く、その開封用ミシン目線５０の裂開により分断された下方部分１１ｘ、すなわち把手部２０がわではない部分の一部を、残りのキッチンペーパーロール３０の端面を被覆するようにして紙管内に押し込み入れることができる。そして、それとともに分断された把手部２０側の部分１１ｙは、端面を被覆したキッチンペーパーロールに蓋のように被せるようにすることができる。このようにすれば、開口が封止されて開封後の袋内に埃や塵、虫などが入ることが防止される。
【００３０】
このように、本実施形態に係るキッチンペーパーロール包装体１では、内包されたキッチンペーパーロール３０を取り出せる開口を容易に形成できるとともに、簡易かつ確実に開口を閉じることができるようになる。
【００３１】
ここで、本実施形態に係る開封用ミシン目線は、正面１３及び背面１４に形成される部分５０ｂ，５０ｃのガゼット包装袋２の幅方向の各長さＬ２が、キッチンペーパーロール３０の直径３０Ｄを超える長さとするのが望ましい。この長さであると、ガゼット包装袋２の構造上、開封用ミシン目線を裂開したさいに、隣接するキッチンペーパーロール二本分の端面よりやや大きい開口が形成され、内部のキッチンペーパーロール３０を極めて容易に取り出せるようになる。
【００３２】
さらに、本実施形態に係る開封用ミシン目線５０におけるより好ましい形態は、図示例の如く、開封用ミシン目線５０の終端５０Ｅが、ガゼット包装袋２の幅方向中央と他方側縁２ｂとの間に至るまで延在し、その他方側縁２ｂと終端５０Ｓとの間の長さＬ３が、キッチンロールペーパー３０の半径３０Ｒの長さ以上となっている形態である。キッチンペーパーロール群３０…を包装した状態でいえば、開封用ミシン目線５０の正面１３及び背面１４にある部分５０ｂ，５０ｃの他方マチ部１１Ｂがわの各端と、その他方マチ部１１Ｂと正面１３又は背面１４との境界との間の長さがキッチンロールペーパー３０の半径３０Ｒの長さ以上となっている形態である。このようにすると、キッチンペーパーロール３０を取り出しやすい広口の開口が形成されるとともに、上述のように開口を閉じたときに隙間なく閉じることができる。換言すれば、開封用ミシン目線５０の終端５０Ｅと、他方側縁２ｂとの間の長さＬ３が、キッチンロールペーパー３０の半径３０Ｒの長さ未満であると、開口を閉じたときに、隙間が生じやすくなる。なお、この終端５０Ｅの高さ方向位置については、図１〜５に示すようにキッチペーパーロール群３０…の上側端面に位置する部位Ｘより上方位置にあってもよいし、図８に示すように下方位置にあってもよい。
【００３３】
他方、本実施形態に係るキッチンペーパーロール包装体１においては、図１に示すように、開封用ミシン目線５０が、上下方向に対して４５°超９０°未満の角度αで下方に延在しているのが望ましい。このように開封用ミシン目線５０を配すると、把手部２０をもった際に、把手部２０を引張って開封しやすく、しかも把手部２０をもって持ち運ぶ際に意図せず破断し難くなる。
【００３４】
また、本実施形態における開封用ミシン目線５０のカット部及びタイ部の長さ及びその比は、（カット部：タイ部）＝１ｍｍ：１ｍｍ〜６ｍｍ：６ｍｍの範囲とするのが望ましい。この範囲であれば、開封用ミシン目線５０を容易に裂開することができるとともに、意図しない裂開を防止できる。
【００３５】
以上の本実施形態に係るキッチンペーパーロール包装体１では、開封用ミシン目線５０の裂開によって、内包されたキッチンペーパーロール３０を容易に取り出すことができる開口を容易に形成でき、しかも、係るキッチンペーパーロールを取り出したのちに開封用ミシン目線５０の裂開によって分断される下方部分１１ｘを残部のキッチンペーパーロールの上側端面を被覆しつつ紙管内に押し込むことができるとともに、分断された上方部分１１ｙをその被覆した端面に被せるようにして開口を簡易かつ隙間無く封止することができる。
【符号の説明】
【００３６】
１…キッチンペーパーロール包装体、２…ガゼット包装装、２Ａ…ガゼット包装袋の一方側部、２Ｂ…ガゼット包装袋の他方側部、１０…袋本体部、１１Ａ…一方のマチ部、１１Ｂ…他方のマチ部、１３…正面、１４…背面、１５…底面、２１…指掛け孔用切り込み部、２０…把手部、２０Ａ…把手部上縁、２０Ｂ…把手部下縁、３０…キッチンペーパーロール、３１…紙管、３２…キッチンペーパー、４１…把手部と袋本体部との境の熱融着部、４２…把手部上端近傍の熱融着部、４３…把手部縦方向融着部、２５…把手部補強用のフィルムシート、２ａ…ガゼット包装袋の一方側縁、２ｂ…ガゼット包装袋の他方側縁、Ｐ…裂開開始部、５０…開封用ミシン目線、５０Ｓ…開封用ミシン目線の基端、５０ａ…開封用ミシン目線のマチ部に形成された部分、５０ｂ…開封用ミシン目線の正面に形成された部分、５０ｃ…開封用ミシン目線の背面に形成された部分、Ｘ…キッチペーパーロール群の上側端面に位置する部位、１１ｘ…開封用ミシン目線の裂開により分断される下方部分、１１ｙ…開封用ミシン目線の裂開により分断される上方部分、５０Ｅ…開封用ミシン目線の終端、３０Ｒ…キッチンペーパーロールの半径、３０Ｄ…キッチンペーパーロールの直径（巻径）、３０ｄ…キッチンペーパーロールの内径（芯直径）、α…開封用ミシン目線の延在方向と上下方向との間の角度。
【図１】
2015054700.tif 000003
【図２】
2015054700.tif 000004
【図３】
2015054700.tif 000005
【図４】
2015054700.tif 000006
【図５】
2015054700.tif 000007
【図６】
2015054700.tif 000008
【図７】
2015054700.tif 000009
【図８】
2015054700.tif 000010